(57)【特許請求の範囲】
【請求項１】
複数かつ長尺な板材が隙間を空けて配されたすのこ状の壁下地、及び該壁下地の外側に既設の防水シートを介して配された既設のモルタルを含む既設のモルタル層からなる既設のモルタル外壁に、前記壁下地のみを残して前記既設のモルタル層を切断除去し、この切断除去された既設のモルタル層の切断面に新設のモルタル層を接続させたモルタル外壁の接合構造であって、
前記新設のモルタル層は、前記既設のモルタル層の切断面から露出する前記壁下地の外側に、既設側の側縁が前記既設のモルタル層の切断面に近接して配された防水テープ、
前記防水テープと少なくとも一部で積層して配されるとともに、前記壁下地の外側に配された新設の防水シート、
前記新設の防水シートの外側に配された新設のラス網、
前記既設のモルタル層の前記切断面と前記壁下地との入隅部で、少なくとも前記防水テープの既設側の側縁と前記切断面との間を水密するシーリング材、
前記入隅部で前記シーリング材を被覆する無収縮性固化材、及び
前記無収縮性固化材の外側で、前記壁下地と、前記防水テープと、前記新設の防水シートと、前記新設のラス網とを被覆する新設のモルタルを含み、
前記壁下地と前記防水テープとの間には、既設側の側縁が前記既設のモルタル層の前記切断面側に近接し、かつ前記壁下地の前記隙間を覆う下地プレートが配されることを特徴とするモルタル外壁の接合構造。
【請求項２】
前記下地プレートの前記既設側の側縁は、前記既設の防水シートと前記壁下地との間に差し込まれる請求項１に記載のモルタル外壁の接合構造。
【請求項３】
前記下地プレートは、樹脂又は金属からなる請求項１又は２に記載の外壁の接合構造。
【請求項４】
複数かつ長尺な板材が隙間を空けて配されたすのこ状の壁下地、及び該壁下地の外側に既設の防水シートを介して配された既設のモルタルを含む既設のモルタル層からなる既設のモルタル外壁に、前記壁下地のみを残して前記既設のモルタル層を切断除去し、この切断除去された既設のモルタル層の切断面に新設のモルタル層を接続させるモルタル外壁の接合方法であって、
前記既設のモルタル層の切断面から露出する前記壁下地の外側に、下地プレートを、その既設側の側縁を前記既設のモルタル層の前記切断面側に近接させて配することにより前記壁下地の隙間を覆って該壁下地を補強する下地プレート配置工程、
前記下地プレートの外側に、既設側の側縁を前記既設のモルタル層の切断面に近接させて、防水テープを配する防水テープ配置工程、
前記防水テープと少なくとも一部で積層するように、前記壁下地の外側に新設の防水シートを配する防水シート配置工程、
前記新設の防水シートの外側に新設のラス網を配するラス網配置工程、
前記既設のモルタル層の前記切断面と前記壁下地との入隅部で、少なくとも前記防水テープの既設側の側縁と前記切断面との間にシーリング材を配して水密するシーリング材配置工程、
前記入隅部で前記シーリング材を被覆するように無収縮性固化材を配する無収縮性固化材配置工程、
前記無収縮性固化材の外側で、前記壁下地と、前記防水テープと、前記新設の防水シートと、前記新設のラス網とを被覆するように前記新設のモルタルを塗り込むモルタル配置工程を含むことを特徴とするモルタル外壁の接合方法
【請求項５】
前記下地プレート配置工程は、前記下地プレートの既設側の側縁を、前記既設の防水シートと前記壁下地との間に差し込む工程を含む請求項４に記載のモルタル外壁の接合方法。
【発明の詳細な説明】
【技術分野】
【０００１】
本発明は、モルタル層の接合部での防水性を大幅に向上しうるモルタル外壁の接合構造及びモルタル外壁の接合方法に関する。
【背景技術】
【０００２】
近年、家族構成や生活環境の変化に伴って、住宅のリフォームが一般的に行われている。このリフォームでは、例えば、部屋数を増やすために、既設の外壁が延設される。この既設の外壁がモルタル外壁である場合の延設方法として、例えば、下記特許文献１において、モルタル外壁の接合構造及び方法が提案されている。
【０００３】
この接合構造は、既設のモルタル層の切断面から延設され、かつ複数かつ長尺な板材が隙間を空けて配されたすのこ状のラス板に貼付される防水テープ、該防水テープと切断面とがなる入隅部を水密するシーリング材、該シーリング材を埋設する無収縮性固化材、前記防水テープに積層される防水シート、該防水シートに積層されるラス網、及びこれらを埋設する新設のモルタルを含む。
【０００４】
このような接合構造では、シーリング材が、防水テープと切断面との隙間を塞ぐとともに、無収縮性固化材が、シーリング材の周囲で固化することにより、接合部での防水性の向上が図られている。
【先行技術文献】
【特許文献】
【０００５】
【特許文献１】特許第４２２２５７７号公報
【発明の概要】
【発明が解決しようとする課題】
【０００６】
しかしながら、上記のような接合構造では、防水テープがすのこ状のラス板で間欠的に支持されているため、前記入隅部の防水テープ上に、シーリング材を盛ってヘラ等で押し付けると、防水テープがラス板の隙間にめり込むとともに、シーリング材がこの隙間からはみ出すことがあり、接合部での防水性が低下するという問題があった。
【０００７】
本発明は、以上のような実状に鑑み案出されたもので、壁下地と防水テープとの間に、既設側の側縁が既設のモルタル層の切断面側に近接し、かつ壁下地の隙間を覆う下地プレートを配することを基本として、モルタル層の接合部での防水性を大幅に向上しうるモルタル外壁の接合構造及びモルタル外壁の接合方法を提供することを主たる目的としている。
【課題を解決するための手段】
【０００８】
本発明のうち請求項１記載の発明は、複数かつ長尺な板材が隙間を空けて配されたすのこ状の壁下地、及び該壁下地の外側に既設の防水シートを介して配された既設のモルタルを含む既設のモルタル層からなる既設のモルタル外壁に、前記壁下地のみを残して前記既設のモルタル層を切断除去し、この切断除去された既設のモルタル層の切断面に新設のモルタル層を接続させたモルタル外壁の接合構造であって、前記新設のモルタル層は、前記既設のモルタル層の切断面から露出する前記壁下地の外側に、既設側の側縁が前記既設のモルタル層の切断面に近接して配された防水テープ、前記防水テープと少なくとも一部で積層して配されるとともに、前記壁下地の外側に配された新設の防水シート、前記新設の防水シートの外側に配された新設のラス網、前記既設のモルタル層の前記切断面と前記壁下地との入隅部で、少なくとも前記防水テープの既設側の側縁と前記切断面との間を水密するシーリング材、前記入隅部で前記シーリング材を被覆する無収縮性固化材、及び前記無収縮性固化材の外側で、前記壁下地と、前記防水テープと、前記新設の防水シートと、前記新設のラス網とを被覆する新設のモルタルを含み、前記壁下地と前記防水テープとの間には、既設側の側縁が前記既設のモルタル層の前記切断面側に近接し、かつ前記壁下地の前記隙間を覆う下地プレートが配されることを特徴とする。
【０００９】
また、請求項２記載の発明は、前記下地プレートの前記既設側の側縁は、前記既設の防水シートと前記壁下地との間に差し込まれる請求項１に記載のモルタル外壁の接合構造である。
【００１０】
また、請求項３記載の発明は、前記下地プレートは、樹脂又は金属からなる請求項１又は２に記載の外壁の接合構造である。
【００１１】
また、請求項４記載の発明は、複数かつ長尺な板材が隙間を空けて配されたすのこ状の壁下地、及び該壁下地の外側に既設の防水シートを介して配された既設のモルタルを含む既設のモルタル層からなる既設のモルタル外壁に、前記壁下地のみを残して前記既設のモルタル層を切断除去し、この切断除去された既設のモルタル層の切断面に新設のモルタル層を接続させるモルタル外壁の接合方法であって、前記既設のモルタル層の切断面から露出する前記壁下地の外側に、下地プレートを、その既設側の側縁を前記既設のモルタル層の前記切断面側に近接させて配することにより前記壁下地の隙間を覆って該壁下地を補強する下地プレート配置工程、前記下地プレートの外側に、既設側の側縁を前記既設のモルタル層の切断面に近接させて、防水テープを配する防水テープ配置工程、前記防水テープと少なくとも一部で積層するように、前記壁下地の外側に新設の防水シートを配する防水シート配置工程、前記新設の防水シートの外側に新設のラス網を配するラス網配置工程、前記既設のモルタル層の前記切断面と前記壁下地との入隅部で、少なくとも前記防水テープの既設側の側縁と前記切断面との間にシーリング材を配して水密するシーリング材配置工程、前記入隅部で前記シーリング材を被覆するように無収縮性固化材を配する無収縮性固化材配置工程、前記無収縮性固化材の外側で、前記壁下地と、前記防水テープと、前記新設の防水シートと、前記新設のラス網とを被覆するように前記新設のモルタルを塗り込むモルタル配置工程を含むことを特徴とする。
【００１２】
また、請求項５記載の発明は、前記下地プレート配置工程は、前記下地プレートの既設側の側縁を、前記既設の防水シートと前記壁下地との間に差し込む工程を含む請求項４に記載のモルタル外壁の接合方法である。
【発明の効果】
【００１３】
本発明のモルタル外壁の接合構造は、複数かつ長尺な板材が隙間を空けて配されたすのこ状の壁下地、及び該壁下地の外側に既設の防水シートを介して配された既設のモルタルを含む既設のモルタル層からなる既設のモルタル外壁に、壁下地のみを残して既設のモルタル層を切断除去し、この切断除去された既設のモルタル層の切断面に新設のモルタル層を接続させている。
【００１４】
また、新設のモルタル層は、既設のモルタル層の切断面から露出する壁下地の外側に、既設側の側縁が既設のモルタル層の切断面に近接して配された防水テープ、防水テープと少なくとも一部で積層して配されるとともに、壁下地の外側に配された新設の防水シート、新設の防水シートの外側に配された新設のラス網、既設のモルタル層の切断面と壁下地との入隅部で、少なくとも防水テープの既設側の側縁と切断面との間を水密するシーリング材、入隅部でシーリング材を被覆する無収縮性固化材、及び無収縮性固化材の外側で、壁下地と、防水テープと、新設の防水シートと、新設のラス網とを被覆する新設のモルタルを含む。
【００１５】
このような新設のモルタル層は、シーリング材が、防水テープと切断面との隙間を確実に塞ぎうるとともに、無収縮性固化材が、シーリング材の周囲で固化できるため、切断面での防水性を確実に向上しうる。
【００１６】
さらに、壁下地と防水テープとの間には、既設側の側縁が既設のモルタル層の切断面側に近接し、かつ壁下地の隙間を覆う下地プレートが配される。
【００１７】
このような下地プレートは、壁下地の隙間を覆って防水シートを支持しうるため、シーリング材がヘラ等で押し付けられても、該防水シートが壁下地の隙間にめり込むのを防ぎ、ひいてはシーリング材が該隙間からはみ出すのを防ぐことができる。本発明のモルタル外壁の接合構造によれば、モルタル層の接合部での防水性を向上しうる。
【図面の簡単な説明】
【００１８】
【図１】本実施形態のモルタル外壁の接合構造を示す斜視図である。
【図２】図１のＡ−Ａ断面図である。
【図３】他の実施形態のモルタル外壁の接合構造を示す断面図である。
【図４】（ａ）は下地プレート配置工程を説明する断面図、（ｂ）は他の実施形態の下地プレート配置工程を説明する断面図である。
【図５】（ａ）は防水テープ配置工程を説明する断面図、（ｂ）は防水シート配置工程を説明する断面図、（ｃ）はラス網配置工程を説明する断面図である。
【図６】（ａ）はシーリング材配置工程を説明する断面図、（ｂ）は無収縮性固化材配置工程を説明する断面図、（ｃ）はモルタル配置工程を説明する断面図である。
【発明を実施するための形態】
【００１９】
以下、本発明の実施の一形態が図面に基づき説明される。
図１に示されるように、本実施形態のモルタル外壁１の接合構造（以下、単に「接合構造」ということがある。）は、住宅のリフォーム等において、既設のモルタル外壁１ｏの延設や、開口部の拡大、縮小又は削除する際に用いられる。
【００２０】
具体的には、壁下地２と、該壁下地２の外側に配される既設のモルタル層３とからなる既設のモルタル外壁１ｏに、壁下地２のみを残して既設のモルタル層３を切断除去し、この切断除去された既設のモルタル層３の切断面（以下、単に「切断面」ということがある。）３ｃに新設のモルタル層４を接続して構成される。
【００２１】
前記壁下地２は、例えば、左右に間隔を空けて配され、かつ上下にのびる胴縁７、７と、この胴縁７に固定された複数かつ長尺な板材６とからなる。そして、板材６は、例えば上下方向に隙間８を空けて配されることで、すのこ状に形成される。隙間８の長さＬ１は、例えば２０mm以下に程度に設定される。また、板材６には、例えば杉等の木材が好適に採用されるが、合板、合成樹脂又は金属等からなるものでもよい。
【００２２】
前記既設のモルタル層３は、図１及び図２に示されるように、壁下地２の外側に配される既設の防水シート１１、この既設の防水シート１１の外側に配される既設のラス網１２、及び壁下地２の外側に既設の防水シート１１とラス網１２とを介して配される既設のモルタル１３とを含む。
【００２３】
前記既設の防水シート１１は、壁下地２の外側に、上下及び左右方向に連続して配される。このような既設の防水シート１１は、既設のモルタル１３から染み込んだ雨水等が、壁下地２側に浸入するのを防ぐことができる。なお、この既設の防水シート１１には、例えば、アスファルトフェルト等が適宜採用されている。
【００２４】
前記既設のラス網１２は、既設の防水シート１１の外側に沿って配置され、例えば、ステープル等によって打ち留めされる。このような既設のラス網１２は、既設のモルタル１３を保持し、該既設のモルタル１３が剥落するのを防ぐ。また、既設のラス網１２には、例えば、平ラスや、波形ラスが採用されている。
【００２５】
前記既設のモルタル１３は、壁下地２の外側に、既設の防水シート１１及び既設のラス網１２を被覆して配置される。この既設のモルタル１３には、例えば、既調合軽量セメントモルタル、砂セメントモルタル、サンドセメントモルタル、又はモルタルリシン掻き落とし等が適宜採用される。
【００２６】
前記新設のモルタル層４は、前記切断面３ｃから露出する壁下地２の外側に配される防水テープ１６、該防水テープ１６と少なくとも一部で積層して配される新設の防水シート１７、該新設の防水シート１７の外側に配された新設のラス網１８、前記切断面３ｃと壁下地２との入隅部Ｃに配されるシーリング材１９、シーリング材１９を被覆する無収縮性固化材２０、及び無収縮性固化材２０の外側に配される新設のモルタル２１を含む。
【００２７】
前記防水テープ１６は、その既設側の側縁１６ｏが、前記切断面３ｃに近接して配される。このような防水テープ１６は、新設のモルタル２１から染み込んだ雨水等が、壁下地２側へ浸入するのを防ぎうる。また、防水テープ１６は、その幅Ｗ３が、例えば５０〜１００mm程度に設定され、例えば、住宅防水用粘着テープ又は粘着剤付きアスファルトフェルト等が適宜採用される。
【００２８】
前記新設の防水シート１７は、防水テープ１６と少なくとも一部で重なり、かつ壁下地２の外側を覆って配される。このような新設の防水シート１７は、防水テープ１６から新設側の広範囲に亘って、壁下地２への雨水の浸入を防ぎ、防水性を向上しうる。この新設の防水シート１７には、特に限定されないが、前記既設の防水シート１１よりも高性能なアスファルトルーフィングフェルト４３０以上のルーフィング材や、透湿防水シート等が採用されるのが望ましい。
【００２９】
前記新設のラス網１８は、新設の防水シート１７の外側に配され、ステープル等で打ち止めされる。本実施形態の新設のラス網１８は、特に限定されないが、モルタルが絡みやすい波形ラス等のメタルラスや、リブラス等の異形ラスや、力骨付ラス等の複合ラス等が望ましい。
【００３０】
また、ラス網１８の既設側の側縁１８ｏは、無収縮性固化材２０に被覆されるのが望ましい。これにより、ラス網１８は、新設のモルタル２１の乾燥収縮によって、その側縁１８ｏが壁下地２から剥がれるのを抑制でき、耐久性を向上しうる。
【００３１】
前記シーリング材１９は、前記入隅部Ｃに、少なくとも防水テープ１６の既設側の側縁１６ｏを覆って配される。このようなシーリング材１９は、防水テープ１６の前記側縁１６ｏと前記切断面３ｃとの隙間を塞いで水密にでき、接合部での防水性を大幅に向上しうる。
【００３２】
また、本実施形態のシーリング材１９は、新設側の防水シート１７の既設側の側縁１７ｏも覆って配され、防水性をさらに高めうる。このシーリング材１９としては、例えば、建築用シーリング材、アスファルトシーリング又はポリマーセメントシーリングが適宜採用される。
【００３３】
前記無収縮性固化材２０は、前記入隅部Ｃでシーリング材１９の外側を被覆して配される。このような無収縮性固化材２０は、新設のモルタル２１の乾燥収縮によって、シーリング材１９が剥離したり、損傷を受けるのを抑制しうる。この無収縮性固化材２０としては、例えば、樹脂モルタル等が適宜採用される。
【００３４】
前記新設のモルタル２１は、無収縮性固化材２０の外側で、壁下地２と、防水テープ１６と、新設の防水シート１７と、新設のラス網１８とを被覆する。この新設のモルタル２１には、特に限定されないが、例えば、既調合軽量モルタル等が望ましい。
【００３５】
ところで、防水テープ１６の既設側の側縁１６ｏと前記切断面３ｃとの隙間に、該シーリング材１９を配置して水密を確保するためには、シーリング材１９が、入隅部Ｃに盛り付けられた後に、ヘラ等で壁下地２側へ押し付けられる。このシーリング材１９の押し付けにより、従来の接合構造では、防水テープ１６が壁下地２の隙間８にめり込むように変形し、シーリング材１９の一部が隙間８から壁下地２の内方へとはみ出し、接合部での防水性が低下していることが判明した。
【００３６】
そこで、本実施形態の接合構造では、壁下地２と防水テープ１６との間に、壁下地２の隙間８を覆う下地プレート２２が配される。この下地プレート２２は、その既設側の側縁２２ｏが、前記切断面３ｃの新設側に近接し、かつ壁下地２の隙間８を覆って配される。
【００３７】
このような下地プレート２２は、壁下地２の隙間８を覆って、防水テープ１６を連続して支持できるため、シーリング材１９がヘラ等で押し付けられても、防水テープ１６が該隙間８にめり込んだり、シーリング材１９が該隙間８にはみ出したりするのを防ぐことができる。従って、本実施形態の接合構造では、接合部の防水性を大幅に向上しうる。
【００３８】
また、前記下地プレート２２の新設側の側縁２２ｎは、防水テープ１６に覆われるのが望ましい。これにより、下地プレート２２の側縁２２ｎに形成されるエッジによって、防水シート１７が損傷するのを抑制しうる。
【００３９】
上記のような作用を効果的に発揮するために、下地プレート２２の幅Ｗ４は、防水テープ１６の幅Ｗ３の２０〜５０％程度、厚さが０．２〜１．５mm程度が望ましい。
【００４０】
また、この下地プレート２２は、水分やアルカリ性に対して、耐久性を有する樹脂又は金属からなるのが望ましい。なお、樹脂の場合には、合成樹脂等が望ましく、金属の場合には、ステンレス等が望ましい。
【００４１】
本実施形態では、下地プレート２２の既設側の側縁２２ｏが、切断面３ｃに対して新設側に近接して配されるものが例示されたが、これに限定されるわけではない。例えば、図３に示されるように、その既設側の側縁２２ｏが、既設の防水シート１１と壁下地２との間に差し込まれてもよい。
【００４２】
このような下地プレート２２は、前記切断面３ｃとの間に隙間が形成されるのを防ぎ、防水テープ１６をより安定して支持しうる。このような作用を効果的に発揮するために、下地プレート２２の側縁２２ｏと切断面３ｃとの最短長さＬ５は、下地プレート２２の幅Ｗ４の５〜１０％程度が望ましい。
【００４３】
次に、本実施形態のモルタル外壁の接合方法の一例について説明する。
本実施形態の接合方法では、図１に示されるように、前記既設のモルタル外壁１ｏに、前記壁下地２のみを残して、既設の防水シート１１、既設のラス網１２、及び既設のモルタル１３を含む一部の前記既設のモルタル層３を切断除去した後に、前記切断面３ｃに新設のモルタル層４を接続させる。
【００４４】
この接合方法では、前記切断面３ｃから露出する壁下地２の外側に、下地プレート２２を配する下地プレート配置工程と、下地プレート２２の外側に防水テープ１６を配する防水テープ配置工程と、壁下地２の外側に新設の防水シート１７を配する防水シート配置工程と、新設の防水シート１７の外側に新設のラス網１８を配するラス網配置工程と、前記入隅部Ｃにシーリング材１９を配するシーリング材配置工程と、入隅部Ｃに無収縮性固化材２０を配する無収縮性固化材配置工程と、無収縮性固化材２０の外側で、新設のモルタル２１を塗り込むモルタル配置工程とを含む。
【００４５】
前記下地プレート配置工程では、図４（ａ）に示されるように、下地プレート２２を、壁下地２の板材６、６（図１に示す）間に跨らせて、その既設側の側縁２２ｏを前記切断面３ｃ側に近接させて固着する。これにより、下地プレート２２は、切断面３ｃ近傍において、壁下地２の隙間８（図１に示す）を覆って、該壁下地２を補強でき、該下地プレート２２の上に配される防水テープ１６（図２に示す）を安定して支持しうる。
【００４６】
また、図４（ｂ）に示されるように、本工程では、下地プレート２２の既設側の側縁２２ｏを切断面３ｃの新設側に配した後、該側縁２２ｏを、既設の防水シート１１と壁下地２との間に差し込む工程が含まれてもよい。これにより、下地プレート２２は、前記切断面３ｃとの間に隙間が形成されるのを防ぎうる。なお、この下地プレート２２は、既設の防水シート１１の圧縮変形や、壁下地２の撓みにより、既設の防水シート１１と壁下地２との間に差し込まれる。
【００４７】
前記防水テープ配置工程では、図５（ａ）に示されるように、防水テープ１６を、その既設側の側縁１６ｏを切断面３ｃに近接させて、下地プレート２２の外側に沿って貼着する。また、防水テープ１６の下地プレート２２から新設側へはみ出すはみ出し部１６Ｎは、下地プレート２２の新設側の側縁２２ｎとの間に大きな隙間ができないように、壁下地２に貼着される。
【００４８】
前記防水シート配置工程では、図５（ｂ）に示されるように、新設の防水シート１７を、防水テープ１６と少なくとも一部で積層されるように、壁下地２の外側に固着する。また、本実施形態では、防水シート１７の既設側の側縁１７ｏを、防水テープ１６の既設側の側縁１６ｏから新設側へ位置ずれして配置させている。
【００４９】
前記ラス網配置工程では、図５（ｃ）に示されるように、新設のラス網１８を、新設の防水シート１７の外側に配置して、ステープル等で打ち止めする。また、新設のモルタル２１（図２に示す）を切断面３ｃ側で確実に保持するために、新設のラス網１８は、下地プレート２２の少なくとも一部に積層されるのが望ましい。
【００５０】
前記シーリング材配置工程では、図６（ａ）に示されるように、前記入隅部Ｃにおいて、シーリング材１９を、少なくとも防水テープ１６の既設側の側縁１６ｏと切断面３ｃとの間に配して水密する。
【００５１】
前記シーリング材１９は、入隅部Ｃに盛られた後に、ヘラやコテ等によって、該シーリング材１９を防水テープ１６側に押し付けられる。この防水テープ１６の内面は、下地プレート２２によって支持されるため、防水テープ１６の隙間８（図１に示す）へのめり込みや、シーリング材１９のはみ出しを効果的に防ぐことができ、施工性及び防水性を向上しうる。
【００５２】
前記無収縮性固化材配置工程では、図６（ｂ）に示されるように、シーリング材１９を施工した後、入隅部Ｃにおいて、無収縮性固化材２０を、シーリング材１９が被覆されるように配置する。本実施形態では、無収縮性固化材２０が、ラス網１８の既設側の側縁１８ｏを被覆するように配置される。
【００５３】
前記モルタル配置工程では、図６（ｃ）に示されるように、無収縮性固化材２０を施工した後、該無収縮性固化材２０の外側に、壁下地２と、防水テープ１６と、新設の防水シート１７と、新設のラス網１８とを被覆するように、新設のモルタル２１を塗り込む。そして、この新設のモルタル２１が硬化した後、本発明のモルタル外壁の接合構造が形成される。
【００５４】
以上、本発明の特に好ましい実施形態について詳述したが、本発明は図示の実施形態に限定されることなく、種々の態様に変形して実施しうる。
【符号の説明】
【００５５】
２      壁下地
３      既設のモルタル層
４      新設のモルタル層
１６      防水テープ
１７      防水シート
１８      ラス網
１９      シーリング材
２０      無収縮性固化材
２１      新設のモルタル
２２      下地プレート
【図１】
0005735891.tif 000002
【図２】
0005735891.tif 000003
【図３】
0005735891.tif 000004
【図４】
0005735891.tif 000005
【図５】
0005735891.tif 000006
【図６】
0005735891.tif 000007